(57)【特許請求の範囲】
【請求項１】
複数の図柄を可変表示可能な可変表示手段と、前記可変表示手段を駆動させる駆動手段と、前記可変表示手段の表示状態を検出するための検出手段と、前記図柄を照明する照明手段と、を有する遊技機であって、
前記駆動手段、前記照明手段及び前記検出手段にそれぞれ接続される配線ケーブルのうちの少なくとも一の配線ケーブルを拘束する拘束構造を有し、
前記拘束構造は、
所定部材から片持ち支持された状態で延出する第１延出部と、
前記第１延出部の自由端側の側方に設けられ、前記配線ケーブルの移動を規制する規制部と、
を備え、
前記規制部は、前記所定部材から片持ち支持された状態で前記第１延出部の自由端側から固定端側に向けて延出する第２延出部と一体的に設けられ、
前記第１延出部及び前記第２延出部は、複数の前記配線ケーブルを並べて拘束可能に延出するとともに、前記所定部材に形成される平面部からの距離が異なるように設けられる
ことを特徴とする遊技機。
【請求項２】
前記第１延出部の横幅と前記第２延出部の横幅とが異なる
ことを特徴とする請求項１記載の遊技機。
【発明の詳細な説明】
【技術分野】
【０００１】
本発明は、外周面に図柄の表されたリールを備える遊技機に関し、特に、リールに絡まないように配線ケーブルを拘束させる遊技機に関する。
【背景技術】
【０００２】
スロットマシン、パチンコ機などの遊技機には、外周面に図柄の表された複数のリールの収納されたリールユニットを備えるものがある。
例えば、スロットマシンは、遊技者が遊技媒体となる遊技用のメダル（コイン）や遊技球（パチンコ球）を投入してスタートレバーを押下操作することにより、外周面に所定の絵柄や数字，文字等の図柄が表された複数のリール（通常３個のリール）が回転を開始し、定速回転後、任意のタイミングで停止ボタンが押されることでリールが停止し、停止したリール上の図柄の組合せに応じて所定数の遊技媒体が払い出されるように構成され、このような複数のリールは、一体的にユニット化されたリールユニットに収納されている。
【０００３】
リールユニットには、通常、リールと、リールを回転駆動させるモータと、リールの回転位置を検出するセンサと、リールに表された図柄を照明する照明ユニットと、これらを支持するベース体とを備えるリールモジュールが、水平方向に積層された状態で複数収納されている。また、複数のリールモジュールを収納する収納ラックには、各リールモジュールから引き出される配線ケーブルと接続されるコネクタの実装された基板が装着されている。
【０００４】
このような配線ケーブルは、弛んだ状態のまま配線されると、リールに絡まるおそれがあることから、所々で拘束されながら、リールモジュールから引き出されるようになっている。
例えば、特許文献１には、配線ケーブルを、ベース体と所定の基板との間に拘束する発明が提案されている。これにより、配線ケーブルの弛みが解消され、リールとの干渉を避けることができる。
【先行技術文献】
【特許文献】
【０００５】
【特許文献１】特開２００８−０４９０２２号公報
【発明の概要】
【発明が解決しようとする課題】
【０００６】
本発明は、配線ケーブルを確実に拘束する遊技機の提供を目的とする。
【課題を解決するための手段】
【０００７】
上記目的を達成するため、本発明の遊技機は、複数の図柄を可変表示可能な可変表示手段と、前記可変表示手段を駆動させる駆動手段と、前記可変表示手段の表示状態を検出するための検出手段と、前記図柄を照明する照明手段と、を有する遊技機であって、前記駆動手段、前記照明手段及び前記検出手段にそれぞれ接続される配線ケーブルのうちの少なくとも一の配線ケーブルを拘束する拘束構造を有し、前記拘束構造は、所定部材から片持ち支持された状態で延出する第１延出部と、前記第１延出部の自由端側の側方に設けられ、前記配線ケーブルの移動を規制する規制部と、を備え、前記規制部は、前記所定部材から片持ち支持された状態で前記第１延出部の自由端側から固定端側に向けて延出する第２延出部と一体的に設けられ、前記第１延出部及び前記第２延出部は、複数の前記配線ケーブルを並べて拘束可能に延出するとともに、前記所定部材に形成される平面部からの距離が異なるように設けられる構成としてある。
【図面の簡単な説明】
【０００８】
【図１】遊技機の概略正面図である。
【図２】遊技機の内部構成を示す概略斜視図である。
【図３】リールユニットの外観斜視図を示し、（ａ）は、前方から見た斜視図であり、（ｂ）は、後方から見た斜視図である。
【図４】リールユニットの分解斜視図である。
【図５】リールモジュールの分解斜視図である。
【図６】拘束構造をベース体の正面側から見た外観斜視図である。
【図７】拘束構造をベース体の背面側から見た外観斜視図である。
【図８】拘束構造を示し、（ａ）は、ベース体の背面図であり、（ｂ）は、Ａ−Ａ断面図であり、（ｃ）は、Ｂ−Ｂ断面図であり、（ｄ）は、Ａ−Ａ断面矢視図である。
【図９】配線ケーブルの拘束状態を示し、（ａ）は、ベース体の正面側から見た斜視図であり、（ｂ）は、ベース体の背面側から見た斜視図である。
【発明を実施するための形態】
【０００９】
以下、本発明に係る遊技機の好ましい実施形態について、各図を参照して説明する。
リールユニットを備える遊技機には、スロットマシンをはじめ、パチンコ機など様々な種類があるが、本実施形態では、スロットマシンを実施例に挙げて説明する。
【００１０】
本実施形態のスロットマシン１は、複数のリールを回転させることによって遊技媒体であるメダルを獲得できる一般的な回胴式遊技機であるものの、新たな部品を追加することなく、配線ケーブルの拘束構造をベース体に一体形成することで、コストの低減を図るとともに、部品の着脱を行うことなく挿抜可能としながら、配線ケーブルを確実に拘束するようになっている。
以下、このような作用効果を発揮する本実施形態に係るスロットマシン１の各部の構成について詳述する。
【００１１】
［スロットマシン本体］
図１は、スロットマシンの外観を示す概略正面図、図２は、スロットマシンの内部構成を示す概略斜視図である。
これらの図に示すように、本実施形態のスロットマシン１は、複数のリール４１ａ，４１ｂ，４１ｃを回転させることによって遊技媒体であるメダルを獲得することができる回胴式遊技機を構成している。
【００１２】
スロットマシン１は、正面側が開口した筐体１ｂと、筐体１ｂの正面側を開閉可能に覆う前扉１ａとで構成され、内部には、マイクロコンピュータ等で構成された制御部１０、制御部１０からの指令により、表示器８，スピーカ９，ＬＥＤ等のランプ類を制御する演出制御部２０、及び必要な機械，装置等が収納されている。
【００１３】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１４】
操作手段としては、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ上部には、効果音等が出力されるスピーカ９が設けられている。
【００１５】
筐体１ｂの中央には、リール４１ａ，４１ｂ，４１ｃ備えるリールユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００１６】
スロットマシン１では、上記の各操作手段からの信号やメダルセレクタ２ｂからの信号に基づき、制御部１０が、リールユニット４、メダル払出装置７などの各装置を制御することで、以下のようなスロットマシン遊技が進行する。
【００１７】
具体的には、遊技者によりメダル投入口２からメダルが投入されると、メダルがメダルセレクタ２ｂにより検出され、検出信号が制御部１０に入力される。また、ベットボタン２ａが操作された場合は、その検出信号が制御部１０に入力される。制御部１０は、これらの検出信号の入力数からゲーム可能なメダル数を監視するとともに、スタートレバー３の操作を監視する。
ゲーム可能なメダル数となったときに、スタートレバー３が操作されると、制御部１０は、リールユニット４に対して、各リール４１ａ，４１ｂ，４１ｃを回転させる制御を行う。
【００１８】
さらに、制御部１０は、スタートレバー３が操作されたときに、ボーナス役、小役、再遊技役、ハズレの複数の抽選対象の中から今回ゲームの当選対象を抽選する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００１９】
また、制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００２０】
このように構成されたスロットマシン１において、各リール４１ａ，４１ｂ，４１ｃを個別に回転可能に軸支しながら収納する装置がリールユニット４である。
以下、本実施形態に係るリールユニット４について詳述する。
【００２１】
［リールユニット］
図３は、リールユニットの外観斜視図を示し、（ａ）は、前方から見た斜視図、（ｂ）は、後方から見た斜視図であり、図４は、リールユニットの分解斜視図である。また、図５は、リールモジュールの分解斜視図である。
これらの図に示すように、本実施形態に係るリールユニット４は、それぞれ一つずつリール４１を有する三つのリールモジュール４０（４０ａ，４０ｂ，４０ｃ）と、これらを収納する収納ラック４６と、基板ユニット４７とを備え、各リール４１をそれぞれ独立して回転制御可能に構成されている。
【００２２】
本実施形態のリールモジュール４０は、収納ラック４６の左端に収納される左リールモジュール４０ａと、中央に収納される中リールモジュール４０ｂと、右端に収納される右リールモジュール４０ｃと、からなる三つのリールモジュールからなり、収納ラック４６の開口部４６1から挿着されるようになっている。
リールモジュール４０は、図５に示すように、リール４１と、ベース体４２と、モータ４３（パルスモータ）と、光センサ４４（フォトインタラプタ）と、照明ユニット４５とから構成されている。
【００２３】
リール４１は、複数種類の図柄が表された帯状シート４１１と、帯状シート４１１を円筒状に保形する環状のリングフレーム４１２と、モータ４３に軸支されつつその縁端で帯状シート４１１を円筒状に保形するホイールフレーム４１３とから構成されている。
リール４１は、ネジ３を介して軸４３２に軸止されるホイールフレーム４１３がモータ４３によって駆動されて回転するとともに、ホイールフレーム４１３に形成された遮光板が光センサ４４の光路を遮ることで、その回転位置を検出できるようになっている。
【００２４】
照明ユニット４５は、帯状シート４１１と軸４３２との間に配置され、帯状シート４１１の後方から図柄を照らす発光装置であり、光源としてのＬＥＤの実装されたＬＥＤ基板４５２と、これを支持する基板ホルダー４５１から構成されている。
【００２５】
ベース体４２は、略板状に成形された合成樹脂からなり、モータ４３と、光センサ４４と、照明ユニット４５の取り付け部となっている。
具体的には、図５に示すように、ベース体４２には、その後方から挿入されるモータ４３がネジ２を介して固定されるとともに、同じく後方から挿入されるセンサ４４が所定の凹部に挿嵌されて固定されるようになっている。さらに、前方から照明ユニット４５がネジ４を介して固定されるようになっている。つまり、ベース体４２には、モータ４３と、光センサ４４と、照明ユニット４５が固定されているので、モータ４３に軸支されたリール４１もベース体４２が支えるようになっている。
このような構成から、ベース体４２は、収納ラック４６に収納された状態で、リールモジュール４０を直立不動に支える支持部としても機能するようになっている。
【００２６】
具体的には、収納ラック４６には、図４に示すように、ベース体４２の上端部４２１と下端部４２２をそれぞれ板厚方向から挟持するガイド溝４６２（４６２ａ、４６２ｂ、４６２ｃ）が、その内側上面と底面に形成され、ベース体４２をこのガイド溝４６２に沿って挿入するとともに、ベース体４２の上下に形成された固定部４２３においてネジ１を介して収納ラック４６と固定することで、各リール４１を回転自在としながらリールモジュール４０を揺動不能に収納ラック４６に固定することができるようになっている。
【００２７】
また、ベース体４２には、モータ４３と、光センサ４４と、照明ユニット４５が固定されているので、モータ４３からのモータ配線４３１と、光センサ４４からのセンサ配線４４１と、ＬＥＤ基板４５２からのＬＥＤ配線４５２１がベース体４２に集結することになる。
そこで、ベース体４２は、後述するように、本発明に係る拘束構造を備え、これらの配線をリールモジュール４０ごとに一束の配線ケーブルＫ（Ｋａ，Ｋｂ，Ｋｃ）として拘束させてから、基板ユニット４７に向けて引き出すようなっている。
本実施形態では、収納ラック４６の上面に基板ユニット４７を配置したことから、配線ケーブルＫ（Ｋａ，Ｋｂ，Ｋｃ）は、ベース体４２の上端部４２１側から引き出されるとともに、各リール４１に絡まないように、リール４１の配置された面の反対側の面に沿って引き出されるようになっている。
【００２８】
また、拘束構造により拘束された後、各リールモジュール４０から引き出された配線ケーブルＫが、その弛み等によりリールユニット４の前方に向けて倒れ込むことも考えられる。配線ケーブルＫが、リールユニット４の前方に向けて倒れ込むとリール４１に干渉することになり、リール４１の回転・停止における位置精度が低下するおそれがある。
そこで、各リールモジュール４０から引き出された配線ケーブルＫが、確実に基板ユニット４７に向けて上方に延びるように、ベース体４２を収納ラック４６に取り付けるに際してベース体４２と収納ラック４６との間に配線ケーブルＫを挟み込むようになっている。
【００２９】
具体的には、図４に示すように、収納ラック４６の上面側に、配線ケーブルＫａ〜Ｋｃを収納可能に開口部４６１周縁の一部を凹ませた配線引出部４６３ａ〜４６３ｃを凹設形成するとともに、ベース体４２の固定部４２３に、各配線引出部４６３を覆うカバー部４２３１を突出形成することで、各カバー部４２３１と配線引出部４６３ａ〜４６３ｃとの間に配線ケーブルＫを拘束するようになっている。
これにより、各リールモジュール４０から引き出された配線ケーブルＫが、リールユニット４の前方に向けて倒れ込むことがなくなり、配線ケーブルＫを確実に基板ユニット４７側に向けることができる。
【００３０】
基板ユニット４７は、図示しない中継基板と基板カバーとから構成されている。
中継基板は、所定の配線ケーブルを介して制御部１０と演出制御部２０と接続されるとともに、さらに、モータ配線４３１と、センサ配線４４１と、ＬＥＤ配線４５２１が接続されるようになっている。
【００３１】
このような構成からなるリールユニット４において、ベース体４２に形成された拘束構造により、配線ケーブルＫとリール４１との絡まりを防止するとともに、部品を着脱することなく挿抜可能としながら、配線ケーブルＫを確実に拘束するようになっている。
以下、ベース体４２について詳述する。
【００３２】
図６は、拘束構造をベース体の正面側から見た外観斜視図、図７は、拘束構造をベース体の背面側から見た外観斜視図である。
また、図８は、拘束構造を示し、（ａ）は、ベース体の背面図、（ｂ）は、Ａ−Ａ断面図、（ｃ）は、Ｂ−Ｂ断面図、（ｄ）は、Ａ−Ａ断面矢視図であり、図９は、配線ケーブルの拘束状態を示し、（ａ）は、ベース体の正面側から見た斜視図、（ｂ）は、ベース体の背面側から見た斜視図である。
【００３３】
本発明に係る拘束構造４８は、ベース体４２の上端部４２１側であって背面側に形成され、モータ配線４３１と、センサ配線４４１と、ＬＥＤ配線４５２１とを一箇所でまとめて拘束することにより、一束の配線ケーブルＫとして上方に引き出し可能にしている。
具体的には、拘束構造４８は、モータ配線４３１と、センサ配線４４１と、ＬＥＤ配線４５２１（以下、これらの配線を配線ケーブルＫという）を、ベース体４２の表面４２０（背面側）との間に拘束する拘束部４８１と、拘束部４８１に拘束された配線ケーブルＫの拘束部４８１からの脱抜を阻止する凸部４８２とから構成されている。
【００３４】
拘束部４８１は、立設部４８１１と、延出部４８１２とを有し、図８（ｃ）に示すように、断面略Ｌ字状に形成されている。
立設部４８１１は、ベース体４２の端部に配置され、ベース体４２の背面側の表面４２０に対して垂直に立設するリブである。
【００３５】
延出部４８１２は、ベース体４２の表面４２０から離間して配置されるとともに（例えば、３ｍｍ）、立設部４８１１に片持ち支持され、ベース体４２の表面４２０とほぼ平行に延出形成されている。
これにより、図８（ｃ）に示すように、立設部４８１１と、隣接するベース体４２の表面４２０と、延出部４８１２とで囲まれる略断面コの字状の拘束スペースＳ２が形成され、この拘束スペースＳ２に配線ケーブルＫが拘束されることになる。
【００３６】
また、延出部４８１２は、図８（ｃ）に示すように、立設部４８１１に支持されない側が自由端４８１２ａとなる、矢印の方向に弾性をもって撓む片持ち梁として形成してある。
これにより、拘束スペースＳ２への配線ケーブルＫの挿入と、拘束スペースＳ２からの配線ケーブルＫの脱抜を、挿入口Ｓ１を介して行うことができるとともに、挿抜に際して延出部４８１２が弾性変形することから、挿抜時の作業労力が軽減される。
【００３７】
また、延出部４８１２には、ベース体４２の表面４２０に向かって突出する鉤部４８１３が形成されている。
拘束スペースＳ２に拘束された配線ケーブルＫは、この鉤部４８１３により脱抜が妨げられ、配線ケーブルＫを抜けにくくすることができる。
特に、鉤部４８１は、立設部４８１１側には表面４２０と直交する垂直面４８１３ｂが形成されるものの、自由端４８１２ａ側には傾斜面４８１３ａが形成されている。
これにより、拘束スペースＳ２からの配線ケーブルＫの脱抜を妨げながら、拘束スペースＳ２への配線ケーブルＫの挿入を容易にすることができる。
【００３８】
さらに、拘束構造４８は、拘束部４８１に拘束された配線ケーブルＫの拘束部４８１からの脱抜を阻止する凸部４８２を備えている。
凸部４８２は、拘束部４８１に近接するベース体４２の表面４２０に立設され（例えば、本実施形態では、拘束部４８１よりもさらに上端部４２１側）、延出部４８１２の延出する方向と直交する方向に沿って、鉤部４８１３と並んだ位置に形成されている（図８（ａ）、（ｄ）参照）。
このように凸部４８２を、ベース体４２の表面４２０に立設するとともに、延出部４８１２の延出する方向と直交する方向に沿って鉤部４８１３と並んだ位置に形成することにより、延出部４８１２の延出する方向と直交する方向に沿って形成される拘束スペースＳ２を確保しながら、凸部４８２が鉤部４８１３と行き違いに交差することになるため、拘束スペースＳ２からの配線ケーブルＫの脱抜をより困難にすることができる。
特に、凸部４８２の頂面と鉤部４８１３の頂面とを、図８（ｄ）中、上下方向（表面４２０に対して垂直方向）において、行き違いに交差するようにオーバーラップさせることにより、配線ケーブルＫの脱抜をさらに困難にしてある。
また、配線ケーブルＫを拘束スペースＳ２から脱抜する際には、図８（ｄ）中、凸部４８２を一方の手で上方に押すとともに、配線ケーブルＫを他方の手でつまみながら下方に引くことにより、凸部４８２と拘束部４８１の間に隙間を形成させて、配線ケーブルＫを簡単に取り外すことができる。
【００３９】
また、凸部４８２は、延出部４８１２の延出する方向の面側に傾斜面４８２ａが形成されている。
これにより、挿入口Ｓ１から拘束スペースＳ２への配線ケーブルＫの挿入を容易にすることができる。
一方、傾斜面４８２ａと反対側の面を表面４２０と直交する垂直面４８２ｂとして形成することで、拘束スペースＳ２からの配線ケーブルＫの脱抜を阻止するようになっている。
特に、垂直面４８２ｂは、図８（ｄ）に示すように、鉤部４８１の垂直面４８１３ｂとほぼ同一の仮想平面上に位置するように配置されていることから、拘束スペースＳ２を確実に確保しながら、拘束スペースＳ２からの配線ケーブルＫの脱抜をより強固に阻止するようになっている。
また、垂直面４８２ｂは、図９（ｂ）に示すように、カバー部４２３１と対向配置されていることから、垂直面４８２ｂとカバー部４２３１との間に、配線ケーブルＫを保持できるようになっている。
【００４０】
また、凸部４８２は、その周縁のベース体４２を、延出部４８１の延出する方向に沿って略コの字状に切り欠いた切欠部４８２１を有し、弾性変形可能に形成されている。
これにより、配線ケーブルＫの挿抜に際して、図８（ｂ）に示すように、凸部４８２を矢印方向に撓ませることができることから、挿抜時の作業労力が軽減される。
【００４１】
このように構成された拘束構造４８によって拘束された配線ケーブルＫを、図９に示す。
同図に示すように、配線ケーブルＫは、延出部４８１２の延出する方向と直交する方向に沿って図中上方に引き出され、基板ユニット４７に向かうようになっている。
また、拘束スペースＳ２に拘束されている配線ケーブルＫは、図９（ａ）に示すように、鉤部４８１３によって脱抜が妨げられるとともに、図９（ｂ）に示すように、凸４８２によって脱抜がさらに強固に阻止されていることが分かる。
【００４２】
そして、配線ケーブルＫをこのような拘束状態にするには、配線ケーブルＫを挿入口Ｓ１から指で押し込むことで簡単に挿入することができる。この押し込み力により、延出部４８１２と凸部４８２とを相互に異なる方向に弾性変形させることで、挿入口Ｓ１を押し広げることができるため、簡単に配線ケーブルＫを拘束スペースＳ１に挿入することができる。
また、配線ケーブルＫを拘束スペースＳ１から脱抜する際には、延出部４８１２と凸部４８２とを相互に異なる方向に弾性変形させることで、挿入口Ｓ１を押し広げることができるため、簡単に脱抜することができる。
【００４３】
以上説明したように、本実施形態のスロットマシン１によれば、新たな部品を追加することなく、配線ケーブルＫを拘束することで、コストの低減を図るとともに、部品を着脱することなく挿抜可能としながら、配線ケーブルＫを確実に拘束することができる。
例えば、上述した特許文献１では、部品によって配線ケーブルを拘束すると、配線ケーブルを交換したいときなどのメンテナンスを行うときには、部品を取り外さなければならないため、作業効率を低下させていた。
【００４４】
また、配線ケーブルをモータなどの必須の構成部品によって拘束することになると、配線ケーブルを引き回す自由度が狭くなることから、配線の引出部までの配線経路を確保するために、配線ケーブルを必要以上に長くしなければならなかった。
また、配線の引き回し自由度を向上すべく配線ケーブルを拘束するための新たな部品を設けることもできるが、いずれの場合でもコストの上昇は避けられなかった。
これに対して、本発明に係る遊技機によれば、新たな部品を追加することなく、配線ケーブルを拘束することで、コストの低減を図るとともに、部品を着脱することなく挿抜可能としながら、配線ケーブルを確実に拘束することができる。
【００４５】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００４６】
例えば、本実施形態では、拘束構造４８をベース体４２の背面側に形成したが、正面側に形成することもできる。
また、凸部４８２を、その周縁のベース体４２を切り欠いて弾性変形可能に形成したが、弾性変形しないように切り欠かないようにしてもよい。
また、拘束部４８１の上方に凸部４８２を設けたが、拘束部４８１の下方、又は、拘束部４８１の上下に凸部４８２を設けることもできる。
【００４７】
また、本実施形態では、凸部４８２を、ベース体４２に一体形成したが、別パーツとしてもよい。
また、傾斜面４８２ａと垂直面４８２ｂとをほぼ連続してつなげたが、途中に平坦部を設けて不連続につなげることもできる。
また、立設部４８１１と凸部４８２を支持ずる側とを対向配置させ、延出部４８１２の延出する方向と、凸部４８２の延びる方向とを行き違いに交差させたが、凸部４８２を支持ずる側を立設部４８１１と同じ側に形成することもできる。
また、拘束部４８１に、モータ配線４３１と、センサ配線４４１と、ＬＥＤ配線４５２１のすべての配線（配線ケーブル）を拘束させたが、拘束する配線の数は問わず、いずれか一の配線、さらには、少なくとも一本の配線が拘束されていれば足りる。
【００４８】
また、本実施形態では、各リールモジュール４０において、ベース体４２の左側にリール４１を配置したが、ベース体４２の右側にリール４１を配置することもできる。
また、スロットマシンを例に挙げて説明したが、リールユニットを備えるパチンコ機やその他の遊技機にも適用することもできる。
【００４９】
また、本明細書に開示された発明は以下のような構成とすることができる。
１．外周面に複数の図柄が表されたリールと、前記リールを回転駆動させるモータと、前記リールの回転位置を検出するセンサと、前記図柄を照明する照明ユニットと、これらを支持するベース体と、を有するリールモジュールを備える遊技機であって、
前記ベース体は、
前記モータ、前記照明ユニット及び前記センサにそれぞれ接続される配線ケーブルのうちの少なくとも一の配線ケーブルを拘束する拘束構造を有し、
前記拘束構造は、前記ベース体に一体成形された
ことを特徴とする遊技機。
２．前記拘束構造は、
前記ベース体の表面に立設される立設部と、
前記ベース体の表面から離間して配置されるとともに前記立設部に片持ち支持され、前記ベース体の表面とほぼ平行に延出する延出部とを、有する断面略Ｌ字状の拘束部を備え、
前記拘束部は、
前記延出部の自由端側に、前記ベース体の表面に向かって突出するとともに、少なくとも自由端側に傾斜面を有する鉤部を備え、
前記延出部の自由端側から挿入される前記配線ケーブルを、隣接するベース体の表面と前記延出部との間に拘束する
ことを特徴とする上記１項記載の遊技機。
３．前記拘束構造は、
前記拘束部に近接する前記ベース体の表面に立設される凸部を備え、
前記凸部は、前記延出部の延出する方向と直交する方向に沿って、前記鉤部と並んだ位置に形成されるとともに、前記延出部の延出する方向の面側に傾斜面を有する
ことを特徴とする上記２項記載の遊技機。
４．前記凸部の周縁の前記ベース体を、前記延出部の延出する方向に沿って略コの字状に切り欠き、前記凸部を弾性変形可能に形成した
ことを特徴とする上記３項記載の遊技機。
５．前記ベース体の取り付けを介して、前記リールモジュールを収納する収納ラックを備え、
前記収納ラックは、前記拘束構造により拘束された前記配線ケーブルを外部に引き出し可能に、前記開口部周縁の一部を凹ませた配線引出部を備え、
前記ベース体は、前記配線引出部を覆うカバー部を備える
ことを特徴とする上記１〜４項のいずれかに記載の遊技機。
【符号の説明】
【００５０】
１  スロットマシン
２  メダル投入口
３  スタートレバー
４  リールユニット
４０（４０ａ，４０ｂ，４０ｃ）  リールモジュール
４１（４１ａ，４１ｂ，４１ｃ）  リール
４２  ベース体
４２３１  カバー部
４３  モータ
４５  照明ユニット
４５１  基板ホルダー
４５２  ＬＥＤ基板
４６  収納ラック
４６１  開口部
４６３  配線引出部
４７  基板ユニット
４８  拘束構造
４８１  拘束部
４８１１  立設部
４８１２  延出部
４８１３  鉤部
４８１３ａ  傾斜面
４８２  凸部
４８２１  切欠部
４８２ａ  傾斜面
５（５ａ，５ｂ，５ｃ）  停止ボタン
６  表示窓
７  メダル払出装置
８  表示器
９  スピーカ
１０  制御部
２０  演出制御部
【図１】
0006357711.tif 000002
【図２】
0006357711.tif 000003
【図３】
0006357711.tif 000004
【図４】
0006357711.tif 000005
【図５】
0006357711.tif 000006
【図６】
0006357711.tif 000007
【図７】
0006357711.tif 000008
【図８】
0006357711.tif 000009
【図９】
0006357711.tif 000010